(57)【要約】      （修正有）【課題】構造が簡単で、時間も労力も節約でき、清掃と消臭消毒の機能を同時に果たせ、床面清掃の効果が何倍にもなる消臭消毒モップを提供する。【解決手段】モップフレームの両側真ん中にはそれぞれ溝９があり、中間には、両端に柱状の軸１３がついた消毒ボックス３がついている。柱状の軸１３は溝９の中に位置する。消毒ボックスの両側にはそれぞれ、両側に固定孔のある巻布板１１と巻布ロール６がついており、巻布板の固定孔の部分には歯車１０がある。消毒ボックスの軸１３には固定線７があり、固定線の一端は上向きのフック状を呈しており、歯車の下端に接触している。もう一端は下向きのフック状を呈しており、巻布ロールの上に接触している。モップの柄１の一端は消毒ボックスに差し込まれている。消毒ボックスの底面は、孔のあいた底層１２と底層の上に位置する綿の層５から構成される。綿の層の上部にはモップの柄の一端が固定された板層４がある。【選択図】図１
0003186214.tif 000002
【実用新案登録請求の範囲】
【請求項１】
消臭消毒モップには、モップの柄（１）が含まれる。その特徴は以下の通りである。これには、更にモップフレームが含まれる。上述のモップフレームの両側の真ん中にはそれぞれ溝（９）があり、上述のモップフレームの中間には、両端に柱状の軸（１３）がついた消毒ボックス（３）がついている。上述の消毒ボックス（３）の柱状の軸（１３）は上述の溝（９）の中に位置する。上述の消毒ボックス（３）の両側にはそれぞれ、両端に固定孔のある巻布板（１１）と巻布ロール（６）がついており、上述の巻布板（１１）の固定孔の部分には歯車（１０）がある。上述の消毒ボックス（３）の柱状の軸（１３）には固定線（７）があり、その固定線（７）の一端は上向きのフック状を呈しており、上述の巻布板（１１）上の歯車（１０）の下端に接触している。もう一端は下向きのフック状を呈しており、上述の巻布ロール（６）の上に接触している。上述のモップの柄（１）の一端は消毒ボックス（３）に差し込まれている。上述の消毒ボックス（３）の底面は、孔のあいた底層（１２）と底層（１２）の上に位置する綿の層（５）から構成される。上述の綿の層（５）の上部にはモップの柄（１）の一端が固定された板層（４）がある。
【請求項２】
権利要求１の消臭消毒モップの特徴は以下の通りである。上述の消毒ボックス（３）の上の面は蓋状を呈しており、開けることができる。
【請求項３】
権利要求１の消臭消毒モップの特徴は以下の通りである。上述のモップフレームは梯子型を呈しており、中間には２つの横梁（２）がある。上述の横梁に垂直の縦梁（５）の端は内側に湾曲しており、取り外し可能な形で巻布板（１１）と巻布ロール（６）の固定孔内に挿入されている。
【考案の詳細な説明】
【技術分野】
【０００１】本実用新案は、生活用品にかかわるもので、特に消臭消毒モップにかかわるものである。
【背景技術】
【０００２】生活のクオリティが高まり、生活のリズムが速まるとともに、人々は清潔で衛生的な環境を求めるようになり、同時に、掃除用グッズについてもますます手軽で便利なものが求められるようになってきた。そこで出現したのが様々なモップや消毒用器具である。しかし、そうしたモップや消毒器具は、床を拭くのにしか使えない物、消毒するのにしか使えない物ばかりで、単独でしか使えない。更に、既存のモップでは、広い面積の床を掃除する際、何度も布を交換するか、腰をかがめて布の部分を洗ったりしなければならなかった。これでは、面倒である上、時間も無駄である。
【考案の開示】
【考案が解決しようとする課題】
【０００３】本実用新案の目的は、上述の不足部分を克服して、構造が簡単で、時間も労力も節約でき、清掃と消臭消毒の機能を同時に果たせ、床面清掃の効果が何倍にもなる消臭消毒モップを提供することである。
【課題を解決するための手段】
【０００４】上述の目的を実現するため、本実用新案では以下の技術案を採用した。本実用新案の消臭消毒モップには、モップの柄、モップフレームが含まれる。上述のモップフレームの両側の真ん中にはそれぞれ溝があり、上述のモップフレームの中間には、両端に柱状の軸がついた消毒ボックスがついている。上述の消毒ボックスの柱状の軸は上述の溝の中に位置する。上述の消毒ボックスの両側にはそれぞれ、両側に固定孔のある巻布板と巻布ロールがついており、上述の巻布板の固定孔の部分には歯車がある。上述の消毒ボックスの軸には固定線があり、その固定線の一端は上向きのフック状を呈しており、上述の巻布板上の歯車の下端に接触している。もう一端は下向きのフック状を呈しており、上述の巻布ロールの上に接触している。上述のモップの柄の一端は消毒ボックスに差し込まれている。上述の消毒ボックスの底面は、孔のあいた底層と底層の上に位置する綿の層から構成される。上述の綿の層の上部にはモップの柄の一端が固定された板層がある。【０００５】上述の消毒ボックスの上の面は蓋状を呈しており、開けることができる。【０００６】上述のモップのフレームは梯子型を呈しており、中間には２つの横梁、縦梁のついた端が内側に向いて湾曲している。
【考案の効果】
【０００７】本実用新案には消毒ボックスがあり、且つ巻布ロールと巻布板があるため、使用時には、清掃ができるばかりではなく、消臭消毒の役割を果たすこともでき、更には使用の過程で雑巾が巻布ロールや巻布板の上で回転するため、雑巾の両面で床面を拭くことができ、床拭き掃除の効果は倍増する。
【実施例】
【００１０】図１と図２に示す通り、本実用新案の消臭消毒モップには、モップの柄１とモップフレームが含まれる。上述のモップフレームの両側の真ん中にはそれぞれ溝９があり、上述のモップフレームの中間には、両端に柱状の軸１３がついた消毒ボックス３がついている。上述の消毒ボックス３の柱状の軸１３は上述の溝９の中に位置する。上述の消毒ボックス３の両側にはそれぞれ、両側に固定孔のある巻布板１１と巻布ロール６がついており、上述の巻布板１１の固定孔の部分には歯車１０がある。上述の消毒ボックス３の柱状の軸１３には固定線７があり、その固定線７の一端は上向きのフック状を呈しており、上述の巻布板１１上の歯車１０の下端に接触している。もう一端は下向きのフック状を呈しており、上述の巻布ロール６の上に接触している。上述のモップの柄１の一端は消毒ボックス３に差し込まれている。上述の消毒ボックス３の底面は、孔のあいた底層１２と底層１２の上に位置する綿の層５から構成される。上述の綿の層５の上部にはユニバーサルジョイントでモップの柄の一端が固定された板層４がある。上述の消毒ボックス３の上の面は蓋状を呈しており、ちょうつがいで開けることができる。上述のモップフレームは梯子型を呈しており、中間には２つの横梁２がある。上述の横梁に垂直の縦梁５の端は内側に湾曲しており、取り外し可能な形で巻布板１１と巻布ロール６の固定孔内に挿入されている。【００１１】使用する際には、まず消毒ボックス３の上蓋を開け、中の綿に消毒水を噴霧する。その上で、雑巾を巻布ロール６に巻きつけ、雑巾の一端を引っ張って、１つ目の横梁２を迂回させて消毒ボックスの底の部分に入れる。更に２つ目の横梁２を迂回させて巻布板１１の固定隙間に固定する。その上で、消毒ボックス３の板層４上に固定されたモップの柄１を下方に押し、上下、前後に動かしてから床拭きを始める。この際、モップの柄１が板層４を押し、綿層５を押しているため、消毒水が綿層５の下の小さな孔から消毒ボックス３の底面の雑巾１４に浸み出し、清掃の役割を果たすとともに消毒の役割も果たす。雑巾が汚くなったら、モップの柄１を持ち上げる。こうすると、モップの柄１の柱状の軸１３が溝９に沿って上方に持ち上がり、消毒ボックス３に固定されている固定線７が上昇する。すると、固定線７の端が歯車１０の歯に引っ掛かり、歯車１０が外側に向かって１８０度回転する。これに伴って巻布板１１も１８０度回転し、雑巾の面が換わる。同時に、巻布ロール６も内側に向かって回転し、きれいな雑巾が出てきて床が拭けるようになる。雑巾の面が換わったら、モップの柄１を再度押す。こうすると、固定線７が下がり、歯車を押して固定の役割を果たす。こうして何度も往復することで、清掃の役割を果たし、消臭消毒の役割も果たすことができる。
【図面の簡単な説明】
【００１２】
【図１】は、本実用新案の消臭消毒モップの構造説明図である。
【図２】は、本実用新案の消臭消毒モップの使用状態の説明図である。
【図１】
0003186214.tif 000003
【図２】
0003186214.tif 000004
【手続補正書】
【提出日】平成25年7月10日(2013.7.10)
【手続補正１】
【補正対象書類名】実用新案登録請求の範囲
【補正対象項目名】全文
【補正方法】変更
【補正の内容】
【実用新案登録請求の範囲】
【請求項１】
モップの柄とモップフレームからなる消臭消毒モップにおいて、
前記モップフレームの両側真ん中にはそれぞれ溝が設けられており、
前記モップフレームの中間には、両端に柱状の軸がついた消毒ボックスが設けられており、
前記消毒ボックスの柱状の軸は前記溝の中に位置していて、
前記消毒ボックスの両側にはそれぞれ、両端に固定孔のある巻布板と巻布ロールがついており、
前記巻布板の固定孔の部分には歯車があり、
前記消毒ボックスの柱状の軸には固定線があり、その固定線の一端は上向きのフック状を呈していて、前記巻布板上の歯車の下端に接触しており、
もう一端は下向きのフック状を呈しており、前記の巻布ロールの上に接触していて、
前記のモップの柄の一端は前記消毒ボックスに差し込まれており、
前記消毒ボックスの底面は孔のあいた底層、さらに底層の上に位置する綿の層から構成され、
前記綿の層の上部にはモップの柄の一端が固定された板層があることを特徴とする消臭消毒モップ。
【請求項２】
前記消毒ボックスの上の面は蓋状を呈しており、開けることができることを特徴とする請求項１に記載の消臭消毒モップ。
【請求項３】
前記モップフレームは梯子型を呈しており、中間には２つの横梁があり、
前記横梁に垂直の縦梁の端は内側に湾曲しており、取り外し可能な形で前記巻布板と前記巻布ロールの固定孔内に挿入されていることを特徴とする請求項１に記載の消臭消毒モップ。